(57)【要約】【課題】クリーニング店又は家庭等での使用時にシワや横スジができることもなく、製作コストを低減し、保管スペースを小とし、携行可能でかつ、他の用途にも利用可能な利便性ある、衣料用ハンガーを提供する。【課題を解決するための手段】筒体で襟部１、左肩当て部２、右肩当て部３及び下衣装架部４をそれぞれ分離して構成し、紐体５を各構成部材に順次挿通した後、紐体５の両端５ａ、５ｂを牽引して正面視略台形状に形成した後、紐５の両端５ａ、５ｂを緊縛してハンガーＨを組立て、予め、襟部１の長手方向中心の上下に穿設した貫通孔１ａに、フック体６の垂直軸部６ａを装着してなる。【選択図】図１
2004329804.tif 000002
【特許請求の範囲】
【請求項１】
組立折畳み可能な衣料用ハンガーであって、
硬質、軽量で曲げ剛性、耐薬品性及び耐熱性を有する素材からなる筒体と、
前記筒体に挿通可能な形状と外径で、可撓性がありかつ、非伸縮性の紐状体と、硬質、細径の線条金属を屈曲してなる鈎状のフック体と、
複数の通し穴を設けた係止具と、
よりなり、
前記筒体で襟部、左肩当て部、右肩当て部及び下衣装架部をそれぞれ分離して構成し、前記紐状体を各構成部材に順次挿通した後、紐状体の両端を牽引して下衣装架部の左又は右端部と、左肩当て部又は右肩当て部の端部が当接するように紐状体の両端を緊縛するか又は、前記係止具の通し穴を介して固定すると共に、予め、襟部の長手方向中心の上下に穿設した貫通孔に、前記フック体の垂直軸部を装着してなることを特徴とする、紐状体付き衣料用ハンガー。
【請求項２】
前記筒体が、合成樹脂材を押出成形、射出成形その他の公知成形法で製作してなることを特徴とする、請求項１記載の紐状体付き衣料用ハンガー。
【請求項３】
前記筒体の素材が、竹、木材又は他の植物であることを特徴とする、請求項１記載の紐状体付き衣料用ハンガー。
【請求項４】
前記紐状体の長さは、襟部、左肩当て部、右肩当て部及び下衣装架部に挿通後、少なくとも、その両端で複数回緊縛するか又は、係止具の複数の通し穴に挿通する余裕ある長さであることを特徴とする、請求項１ないし請求項３記載の紐状体付き衣料用ハンガー。
【請求項５】
前記フック体の素材である線条金属が、合成樹脂材で被覆されていることを特徴とする、請求項１ないし請求項４記載の紐状体付き衣料用ハンガー。
【請求項６】
前記襟部、左肩当て部、右肩当て部及び下衣装架部の両端が、面取りされていることを特徴とする、請求項１ないし請求項３記載の紐状体付き衣料用ハンガー。
【発明の詳細な説明】
【０００１】
【発明の属する技術分野】本発明は、紐状体付き衣料用ハンガーに係り、特には、主にクリーニング店等において使用されるハンガーに関する。
【０００２】
【従来の技術】従来、クリーニング店等において使用されるハンガーにあっては、種々のものが提供され、また提案されている。例えば、図６に示すような針金等の線材料を使ったものや、合成樹脂材によって一体成型したものがある。
【０００３】
【発明が解決しようとする課題】しかし、前者にあっては、ズボン、スラックス、スカート等の下衣装架部も細径の針金製であるために、これを使用した場合には、ズボン等の重さで装架部が垂れ下がり、ズボン等の接触部分にシワや横スジができたり、また、装架したズボン等が滑落し易いという欠点があり、後者にあっては、成型用の金型製作や人件費、加工賃等でコスト高となりかつ、フックは固定されているので利便性に欠ける等の問題点がある。
【０００４】
本発明は、上記、従来技術の問題点に鑑み、クリーニング店又は家庭等での使用時にシワや横スジができることもなく、製作コストを低減し、保管スペースを小とし、携行可能でかつ、他の用途にも利用可能な利便性ある、衣料用ハンガーを提供することを目的としている。
【０００５】
【課題を解決するための手段】請求項１に係る、紐状体付き衣料用ハンガーは、組立折畳み可能な衣料用ハンガーであって、硬質、軽量で曲げ剛性、耐薬品性及び耐熱性を有する素材からなる筒体と、前記筒体に挿通可能な形状と外径で、可撓性がありかつ、非伸縮性の紐状体と、硬質、細径の線条金属を屈曲してなる鈎状のフック体と、複数の通し穴を設けた係止具と、よりなり、前記筒体で襟部、左肩当て部、右肩当て部及び下衣装架部をそれぞれ分離して構成し、前記紐状体を各構成部材に順次挿通した後、紐状体の両端を牽引して下衣装架部の左又は右端部と、左肩当て部又は右肩当て部の端部が当接するように紐状体の両端を緊縛するか又は、前記係止具の通し穴を介して固定すると共に、予め、襟部の長手方向中心の上下に穿設した貫通孔に、前記フック体の垂直軸部を装着してなることを特徴とする。
【０００６】
請求項２は、請求項１記載の紐状体付き衣料用ハンガーにあって、前記筒体が、合成樹脂材を押出成形、射出成形その他の公知成形法で製作してなることを特徴とする。
【０００７】
請求項３は、請求項１記載の紐状体付き衣料用ハンガーにあって、前記筒体の素材が、竹、木材又は他の植物であることを特徴とする。
【０００８】
請求項４は、請求項１ないし請求項３記載の紐状体付き衣料用ハンガーにあって、前記紐状体の長さは、襟部、左肩当て部、右肩当て部及び下衣装架部に挿通後、少なくとも、その両端で複数回緊縛するか又は、係止具の複数の通し穴に挿通する余裕ある長さであることを特徴とする。
【０００９】
請求項５は、請求項１ないし請求項４記載の紐状体付き衣料用ハンガーにあって、前記フック体の素材である線条金属が、合成樹脂材で被覆されていることを特徴とする。
【００１０】
請求項６は、請求項１ないし請求項３記載の紐状体付き衣料用ハンガーにあって、前記襟部、左肩当て部、右肩当て部及び下衣装架部の両端が、面取りされていることを特徴とする。
【００１２】
【発明の実施の形態】以下、本発明に係る、紐状体付き衣料用ハンガーの好適な実施形態について図面を参照しながら説明する。図１は、第１の実施例を示し、組立状態の紐状体付き衣料用ハンガー（以下、ハンガーＨという）の一部切欠正面図、図２は他の実施例を示す組立状態のハンガーＨ’の正面図で、図３は係止具の正面図で、図４はハンガーＨを折畳んだ状態の正面図、図５はハンガーＨを伸張して物干しとした状態を示す正面図で、図６は従来例を示す正面図である。
【００１３】
図１において、１は襟部、２は左肩当て部、３は右肩当て部、４は下衣装架部であり、いずれも硬質、軽量で適度の曲げ剛性、耐薬品性及び耐熱性を有する合成樹脂材例えば、塩化ビニール、ポリエチレン等を押出成形、射出成形その他の公知成形法で製作されたパイプ又はチューブ等よりなり、上記の各部材１、２、３、４は、それぞれ分離しており、これらを可撓性がありかつ、非伸縮性の紐状体例えば、塩化ビニール製紐５を順次挿通し、該紐５の一端５ａと他端５ｂを収束し、かつ、下衣装架部４の右端部４ａと右肩当て部３の下端部３ａの当接部分を保持しながら紐５の両端５ａ、５ｂを、略水平方向に牽引して正面視略台形状に形成した後、紐５の両端５ａ、５ｂを緊縛してハンガーＨを組立てるものである。
【００１４】
６は硬質、細径の線条金属を屈曲してなる鈎状のフック体で、襟部１の長手方向中心の上下に穿設した貫通孔１ａに、垂直軸部６ａを挿通した後、その端部を上方に折曲６ｂし装着している。
【００１５】
図２に示す他の実施例であるハンガーＨ’は、筒体、紐状体及びフック体６等は、第１実施例と同一素材で形成され、その相違点は、左肩当て部２及び右肩当て部の斜辺角度を変えるために、それぞれ小片２’、３’を加えたもので紐５は、下衣装架部４、小片２’、左肩当て部２、襟部１、右肩当て部３、小片３’と順次挿通し、紐５の一端５ａは、係止具７に設けた通し穴７ａに差込んでこれを結着し、紐５の他端５ｂは係止具７に設けた通し穴７ｂ、７ｃに挿通し、右肩当て部３の小片３’の下端部３’ａと下衣装架部４の右端部４ａの当接部分に固定している。
【００１６】
図４は、ハンガーＨを折畳んだ状態で、緊縛された紐５（図１参照）を指先で緩め緊縛を開放し、左肩当て部２及び右肩当て部３を下衣装架部４側に倒伏させると容易に折り畳むことができる。
【００１７】
図５は、ハンガーＨを伸張して物干しとして利用した状態で、例えば、旅行先の旅館等の柱Ｐに紐５の一端５ａを結着し、他端５ｂは対面の柱Ｐ’に結着して洗濯物Ａ、Ｂ等を屋内で乾燥させるのに利用する。
【００１８】
本発明における、筒体は竹又は木材等の植物に紐５の挿通穴を形成し、上記の各部材である襟部１、左肩当て部２、右肩当て部３、下衣装架部４を適宜寸法に切断し、ハンガーＨを製作することも可能である。
【００１９】
なお、ハンガーＨの組立に際して紐５の挿通順序は、右肩当て部３、襟部１、左肩当て部２、下衣装架部４としても良い。
【００２０】
【発明の効果】本発明に係る、紐状体付き衣料用ハンガーは、上記の構成になるから以下の効果を奏する。即ち、クリーニング店又は家庭等での使用時にシワや横スジができることもなく、製作コストを低減し、保管スペースを小とし、携行可能でかつ、他の用途にも利用可能な利便性のある有効な発明である。
【図面の簡単な説明】
【図１】本発明に係る、紐状体付き衣料用ハンガーの第１の実施例を示す一部切欠正面図である。
【図２】同他の実施例を示す正面図である。
【図３】係止具の正面図である。
【図４】ハンガーＨを折畳んだ状態の正面図である。
【図５】ハンガーＨを伸張して物干しとした状態を示す正面図である。
【図６】従来例を示す正面図である。
【符号の説明】
Ｈ、Ｈ’            ハンガー
１                  襟部
２                  左肩当て部
３                  右肩当て部
４                  下衣装架部
５                  紐
６                  フック体
【図１】
2004329804.tif 000003
【図２】
2004329804.tif 000004
【図３】
2004329804.tif 000005
【図４】
2004329804.tif 000006
【図６】
2004329804.tif 000007
【図５】
2004329804.tif 000008